(57)【要約】      （修正有）【課題】一度合わせた焦点距離の再現を容易とするズームレンズユニットおよび目印部材を提供する。【解決手段】ズームレンズユニット１は、使用者による回動（図２に示す矢印Ｒ方向であり、ズームレンズユニット１の周方向の回動）の操作を受けて回動の量に応じて変化する焦点距離を示す目盛Ｓを備えた環状のズームリング２を有している。そしてズームレンズユニット１は、目盛Ｓの任意の値を指し示す環状の目印部材３を有している。この目印部材３は、ズームレンズユニット１の使用者の選択により、（１）ズームリング２の回動に伴った回動と、（２）ズームリング２の回動に伴わない回動の双方が可能である。【選択図】図２
2019023743.tif 000002
【特許請求の範囲】
【請求項１】
使用者による回動の操作を受けて上記回動の量に応じて変化する焦点距離を示す目盛を備えたズームリングを有するズームレンズユニットにおいて、
上記目盛の任意の値を指し示す目印部材を有し、
上記目印部材は、上記使用者の選択により、以下の（１）および（２）の双方の回動が可能であることを特徴とするズームレンズユニット。
（１）上記ズームリングの上記回動に伴った回動
（２）上記ズームリングの上記回動に伴わない回動
【請求項２】
請求項１記載のズームレンズユニットにおいて、
前記目印部材と前記ズームリングとの間には付勢部材が介在し、上記付勢部材が前記目印部材と前記ズームリングの双方を付勢し、
その付勢力が、前記目印部材と前記ズームリングとの相対位置を固定することで、前記（１）の回動を可能としていることを特徴とするズームレンズユニット。
【請求項３】
使用者による回動の操作を受けて上記回動の量に応じて変化するズームレンズユニットの焦点距離を示す目盛を備えたズームリングに取り付けて、上記目盛の任意の値を指し示す目印部材であって、
上記目印部材は、上記使用者の選択により、以下の（１）および（２）の双方の回動が可能であることを特徴とする目印部材。
（１）上記ズームリングの上記回動に伴った回動
（２）上記ズームリングの上記回動に伴わない回動
【請求項４】
請求項３記載の目印部材において、
前記目印部材には、前記ズームリングを付勢する付勢部材が備えられ、
その付勢力が、前記目印部材と前記ズームリングとの相対位置を固定することで、前記（１）の回動を可能としていることを特徴とする目印部材。
【発明の詳細な説明】
【技術分野】
【０００１】
本発明は、ズームレンズユニットおよび目印部材に関する。
【背景技術】
【０００２】
使用者による回動の操作を受けてその回動の量に応じて変化する焦点距離を示す目盛を備えたズームリングを有するズームレンズユニットが知られている（たとえば、特許文献１参照）。
【先行技術文献】
【特許文献】
【０００３】
【特許文献１】特開２００７−２９８６７２号公報
【発明の概要】
【発明が解決しようとする課題】
【０００４】
このようなズームレンズユニットは、ズームリングの回動で焦点距離が無断階で変化するのが通常である。そのため、目盛の線と線との間の焦点距離を一度合わせ、後にその焦点距離を再現することは困難である。
【０００５】
そこで本発明の目的は、一度合わせた焦点距離の再現を容易とするズームレンズユニットおよび目印部材を提供することである。
【課題を解決するための手段】
【０００６】
上記目的を達成するため、本発明のズームレンズユニットは、使用者による回動の操作を受けて回動の量に応じて変化する焦点距離を示す目盛を備えたズームリングを有し、目盛の任意の値を指し示す目印部材を有し、目印部材は、使用者の選択により、以下の（１）および（２）の双方の回動が可能である。
（１）ズームリングの回動に伴った回動
（２）ズームリングの回動に伴わない回動
【０００７】
ここで、目印部材とズームリングとの間には付勢部材が介在し、付勢部材が目印部材とズームリングの双方を付勢し、その付勢力が、目印部材とズームリングとの相対位置を固定することで、（１）の回動を可能としても良い。
【０００８】
上記目的を達成するため、本発明の目印部材は、使用者による回動の操作を受けて回動の量に応じて変化するズームレンズユニットの焦点距離を示す目盛を備えたズームリングに取り付けて、目盛の任意の値を指し示し、目印部材は、使用者の選択により、以下の（１）および（２）の双方の回動が可能である。
（１）ズームリングの回動に伴った回動
（２）ズームリングの回動に伴わない回動
【０００９】
ここで、目印部材には、ズームリングを付勢する付勢部材が備えられ、その付勢力が、目印部材とズームリングとの相対位置を固定することで、（１）の回動を可能としても良い。
【発明の効果】
【００１０】
本発明では、一度合わせた焦点距離の再現を容易とするズームレンズユニットおよび目印部材を提供することができる。
【図面の簡単な説明】
【００１１】
【図１】本発明の実施の形態に係るズームレンズユニットの正面図である。
【図２】図１の平面および背面および右側面側から見た、本発明の実施の形態に係るズームレンズユニットにおける目印部材を分解した分解斜視図である。
【図３】図１のＡ−Ａ断面概要図であり、ズームリング、目印部材およびコイルばねだけを示す図である。
【図４】図１のＢ−Ｂ断面概要図であり、一組のズームリングおよび目印部材だけを示す図である。
【図５】図１に示す領域Ｃの概要図である。
【図６】本発明の実施の形態に係るズームレンズユニットの変形例を示す図であり、ズームレンズユニットの図４に相当する部分を示す図である。
【発明を実施するための形態】
【００１２】
（本発明の実施の形態に係るズームレンズユニットと目印部材の構成および動作）
以下、本発明の実施の形態に係るズームレンズユニットと目印部材について、図面を参照しながら説明する。図１は、本発明の実施の形態に係るズームレンズユニットの正面図である。図２は、図１の平面および背面および右側面側から見た、本発明の実施の形態に係るズームレンズユニットにおける目印部材を分解した分解斜視図である。
【００１３】
ズームレンズユニット１は、使用者による回動（図２に示す矢印Ｒ方向であり、ズームレンズユニット１の周方向の回動）の操作を受けて回動の量に応じて変化する焦点距離を示す目盛Ｓを備えた環状のズームリング２を有している。そしてズームレンズユニット１は、目盛Ｓの任意の値を指し示す環状の目印部材３を有している。
【００１４】
そして、図２に示す、目印部材３を分解した状態の一方の分解目印部材３Ａの端部３Ａ１,３Ａ２は、もう一方の分解目印部材３Ｂの端部３Ｂ１，３Ｂ２と、それぞれネジ３Ｄによって固定される。詳述すると、分解目印部材３Ａの端部３Ａ１は、分解目印部材３Ｂの端部３Ｂ１と固定され、分解目印部材３Ａの端部３Ａ２は、分解目印部材３Ｂの端部３Ｂ２と固定される。その結果、図１および図３に示す環状の目印部材３となる。なお、図２に示す目盛Ｓの文字の向きは、図１に示す目盛Ｓの文字の向きとは反対になっている。これは、図２がズームレンズユニット１を背面側から見た図であり、図１のズームレンズユニット１の正面側から見た目盛Ｓが見えない角度から見た図だからである。同様に図１からは図２に示した目盛Ｓの部分が見えない。図１および図２に示す目盛Ｓは、いずれも同一のズームリング２に備えられたものなので、同一の符号であるＳを付している。
【００１５】
図３は、図１のＡ−Ａ断面概要図であり、ズームリング２、目印部材３および後述するコイルばね４だけを示す図である。図４は、図１のＢ−Ｂ断面概要図であり、一組のズームリング２および目印部材３だけを示す図である。
【００１６】
目印部材３は、ズームリング２に形成され、図１におけるズームレンズユニット１の周方向に設けられている溝２Ａに嵌入されている。なお、図４に示すズームリング２の断面形状のみでは溝２Ａを「溝」と表現するのは適切ではないとも言える。しかし、図４に示すズームリング２と隣接して配置される部材Ｙの断面高さ寸法がズームリング２の断面高さ寸法（最大値）と同等である。そのため、そのズームリング２の断面高さ寸法（最大値）よりも断面高さ寸法が小さい部分（溝２Ａ）を、部材Ｙの壁面Ｙ１と一緒に見て「溝」と表現している。
【００１７】
目印部材３とズームリング２との間には、付勢部材であるコイルばね４が図３における上下２箇所に介在している。コイルばね４の一端４Ａは、目印部材３の側に固定するように取り付けられている。コイルばね４の一端４Ａとは反対側の他端４Ｂは、溝２Ａと当接しつつ摺動可能な、図示を省略する球状部材が取り付けられている。ここで、コイルばね４は、図２に示す分解目印部材３Ａ，３Ｂのそれぞれの長さ方向の中央に１つずつ固定されている。
【００１８】
そして、コイルばね４が目印部材３と溝２Ａとの間で圧縮され、目印部材３とズームリング２の双方を付勢している。そのコイルばね４の付勢力によって、目印部材３とズームリング２との相対位置を固定している。なお、図３および図４において溝２Ａと目印部材３との間に隙間Ｘがあるのは、溝２Ａと目印部材３との間にコイルばね４および図示を省略した球状部材が介在している分の隙間Ｘが生じるためである。
【００１９】
目印部材３とズームリング２との相対位置が固定された状態では、ズームリング２を矢印Ｒに沿って回動させると、ズームリング２の回動に伴って目印部材３も一緒に回動する。また、ズームリング２を矢印Ｒに沿って回動させないように固定しつつ、目印部材３を矢印Ｒに沿ってズームリング２から独立して回動させることもできる。目印部材３が矢印Ｒに沿ってズームリング２から独立して回動する際には、上述の球状部材がズームリング２と摺動している。
【００２０】
すなわち、この目印部材３は、ズームレンズユニット１の使用者の選択により、（１）ズームリング２の回動に伴った回動と、（２）ズームリング２の回動に伴わない回動の双方が可能である。そして、コイルばね４の付勢力が（１）の回動を可能としている。
【００２１】
図５は、図１に示す領域Ｃの概要図である。使用者により、矢印Ｒ方向に沿ったズームリング２の回動の操作を受けると、回動の量に応じて変化する焦点距離が変化する。図５（Ａ）は、使用者が気に入った焦点距離が決まった状態を示している。その状態では、指標線５（ズームリング２の回動によっても位置が変わらず固定されている線）が目盛Ｓにおける１０と１１の間を指し示している。使用者は、その状態のズームリング２が回動しないように固定しながら、目印部材３の目印３Ｃの位置を指標線５の位置に合わせるように目印部材３のみを矢印Ｒ方向に沿って回動させる（図５（Ｂ））。その後は、コイルばね４の付勢力によって、目印部材３とズームリング２との相対位置を固定した状態を保つ。すると、その後ズームリング２を使用者が気に入った焦点距離とは別の焦点距離に合わせるように回動しても、もう一度図５（Ｂ）に示すように目印３Ｃの位置を指標線５の位置に合わせることで、使用者の好みの焦点距離を容易に再現することができる。
【００２２】
（本発明の実施の形態によって得られる主な効果）
上述のように、本発明の実施の形態に係るズームレンズユニット１は、一度合わせた焦点距離の再現が容易である。同様に、本発明の実施の形態に係る目印部材３も、ズームレンズユニット１の使用の際に、一度合わせた焦点距離の再現を容易にする。
【００２３】
また、コイルばね４の他端４Ｂには、溝２Ａと当接しつつ摺動可能な、図示を省略する球状部材が取り付けられている。その球状部材を用いているため、他端４Ｂと溝２Ａの摺動が非常に滑らかに行われ、使用者の操作性が良好である。
【００２４】
また、目印部材３は、ズームリング２が有する、ズームレンズユニット１の周方向に形成されている溝２Ａに嵌り込んでいる。そのため、コイルばね４の他端４Ｂと溝２Ａとが当接しつつ摺動した場合に、溝２Ａが目印部材３のガイドとなって、位置ずれ等が生じにくい。
【００２５】
（他の形態）
上述した本発明の実施の形態に係るズームレンズユニット１および目印部材３は、本発明の好適な形態の一例ではあるが、これに限定されるものではなく本発明の要旨を変更しない範囲において種々の変形実施が可能である。
【００２６】
たとえば、コイルばね４の他端４Ｂには、溝２Ａと当接しつつ摺動可能な、図示を省略する球状部材が取り付けられている。しかし、その球状部材は必須の構成部材ではないため、省略することができる。また、その球状部材に代えて板状部材等をコイルばね４の他端４Ｂに固定し、その板状部材の板面等で溝２Ａと当接しつつ摺動するようにしても良い。
【００２７】
さらには、付勢部材であるコイルばね４も必須の構成部材ではないため、省略することができる。また、コイルばね４等の付勢部材は、コイルばね４の一端４Ａ側がズームリング２に固定するように取り付けられており、コイルばね４の他端４Ｂ側が目印部材３と当接しつつ摺動するようにしても良い。また、付勢部材はコイルばね４に限定されず、板ばね等とすることができる。
【００２８】
また、ズームレンズユニット１は、指標線５を有している。しかし、指標線５は、ズームレンズユニット１の必須の構成要素ではないため、設けないこととしてもよい。目印部材３の目印３Ｃの位置は、指標線５ではなく、ズームレンズユニット１の他の構成部材の部分に位置を合わせる等することで、一度合わせた焦点距離の再現は可能である。
【００２９】
また、目印部材３は、分解目印部材３Ａと分解目印部材３Ｂとに分解できる構成である。しかし、このような構成は採用せず、分解目印部材を３つ以上で構成してそれらを組み立てて目印部材３としたり、円環状の１つの部材等で目印部材３を構成してもよい。また、コイルばね４は、分解目印部材３Ａ，３Ｂのそれぞれの長さ方向の中央に１つずつ固定されている。しかし、コイルばね４を固定する数、配置位置等は適宜設定できる。
【００３０】
また、図３および図４に示すように、コイルばね４は、図１におけるズームレンズユニット１の径方向にズームリング２と目印部材３を付勢している。しかし、コイルばね４等の付勢部材は、その方向以外の方向でズームリング２と目印部材３を付勢しても良い。
【００３１】
たとえば、図６は、本発明の実施の形態に係るズームレンズユニット１の変形例を示す図であり、ズームレンズユニット１の図４に相当する部分を示す図である。ここで、本発明の実施の形態に係るズームレンズユニット１の変形例に係るズームレンズユニット１１は、その長さ方向（図１における縦方向）にズームリング２と目印部材３を付勢している。
【００３２】
図６では、ズームレンズユニット１１について、ズームレンズユニット１におけるものと同様の構成部材等にはズームレンズユニット１における符号を付している。そして、ズームレンズユニット１とズームレンズユニット１１とで共通する構成部材等については説明を省略する。
【００３３】
図６において、コイルばね４は、ズームレンズユニット１１の長さ方向（図１における縦方向または上下方向）にズームリング２と目印部材３の間に介在し、それらを付勢している。そのため、溝２Ａと目印部材３との間に隙間Ｘは無く、隙間Ｘは、ズームレンズユニット１１の長さ方向におけるズームリング２と目印部材３の間にある。
【００３４】
このズームレンズユニット１１における目印部材３も、ズームレンズユニット１と同様に、その使用者の選択により、（１）ズームリング２の回動に伴った回動と、（２）ズームリング２の回動に伴わない回動の双方が可能である。そして、コイルばね４の付勢力が（１）の回動を可能としていることもズームレンズユニット１の場合と同様である。
【００３５】
また、目印部材３は、ズームリング２が有する、ズームレンズユニット１の周方向に形成されている溝２Ａに嵌り込んでいる。しかしながら、この溝２Ａは、ズームレンズユニット１の必須の構成要素ではないため、設けないこととしてもよい。そして本発明の実施の形態では、ズームリング２と部材Ｙとを合わせて溝２Ａが構成されることとしているが、ズームリング２単体で溝２Ａと同等の溝を設けるようにしても良い。さらに、ズームレンズユニット１１の溝２Ａについても、ズームリング２単体で溝２Ａと同等の溝を設けるようにしても良い。
【符号の説明】
【００３６】
１，１１  ズームレンズユニット
２  ズームリング
３  目印部材
４  コイルばね（付勢部材）
Ｓ  目盛
【図１】
2019023743.tif 000003
【図２】
2019023743.tif 000004
【図３】
2019023743.tif 000005
【図４】
2019023743.tif 000006
【図５】
2019023743.tif 000007
【図６】
2019023743.tif 000008
【手続補正書】
【提出日】平成30年10月23日(2018.10.23)
【手続補正１】
【補正対象書類名】特許請求の範囲
【補正対象項目名】全文
【補正方法】変更
【補正の内容】
【特許請求の範囲】
【請求項１】
使用者による回動の操作を受けて上記回動の量に応じて変化する焦点距離を示す目盛を備えた環状のズームリングを有するズームレンズユニットにおいて、
上記ズームリングの外周に周方向に沿って形成される溝と、
上記ズームリングの上記目盛の任意の値を指し示す目印を有し、上記溝に沿って嵌め込まれる環状を呈し、この環状の周方向に複数に分割可能である目印部材と、
を有し、
上記目印部材は、上記使用者の選択により、以下の（１）および（２）の双方の回動が可能であることを特徴とするズームレンズユニット。
（１）上記ズームリングの上記回動に伴った回動
（２）上記ズームリングの上記回動に伴わない回動
【請求項２】
請求項１記載のズームレンズユニットにおいて、
前記目印部材と前記ズームリングとの間には付勢部材が介在し、上記付勢部材が前記目印部材と前記ズームリングの双方を付勢し、
その付勢力が、前記目印部材と前記ズームリングとの相対位置を固定することで、前記（１）の回動を可能としていることを特徴とするズームレンズユニット。
【請求項３】
使用者による回動の操作を受けて上記回動の量に応じて変化するズームレンズユニットの焦点距離を示す目盛を備えた環状のズームリングの外周に周方向に沿って形成された溝に嵌め込まれ、上記目盛の任意の値を指し示す目印を有する目印部材であって、
上記目印部材は、
上記使用者の選択により、以下の（１）および（２）の双方の回動が可能であることを特徴とする目印部材。
（１）上記ズームリングの上記回動に伴った回動
（２）上記ズームリングの上記回動に伴わない回動
【請求項４】
請求項３記載の目印部材において、
前記目印部材には、前記ズームリングを付勢する付勢部材が備えられ、
その付勢力が、前記目印部材と前記ズームリングとの相対位置を固定することで、前記（１）の回動を可能としていることを特徴とする目印部材。
【手続補正２】
【補正対象書類名】明細書
【補正対象項目名】全文
【補正方法】変更
【補正の内容】
【発明の詳細な説明】
【技術分野】
【０００１】
本発明は、ズームレンズユニットおよび目印部材に関する。
【背景技術】
【０００２】
使用者による回動の操作を受けてその回動の量に応じて変化する焦点距離を示す目盛を備えたズームリングを有するズームレンズユニットが知られている（たとえば、特許文献１参照）。
【先行技術文献】
【特許文献】
【０００３】
【特許文献１】特開２００７−２９８６７２号公報
【発明の概要】
【発明が解決しようとする課題】
【０００４】
このようなズームレンズユニットは、ズームリングの回動で焦点距離が無断階で変化するのが通常である。そのため、目盛の線と線との間の焦点距離を一度合わせ、後にその焦点距離を再現することは困難である。
【０００５】
そこで本発明の目的は、一度合わせた焦点距離の再現を容易とするズームレンズユニットおよび目印部材を提供することである。
【課題を解決するための手段】
【０００６】
上記目的を達成するため、本発明のズームレンズユニットは、使用者による回動の操作を受けて回動の量に応じて変化する焦点距離を示す目盛を備えた環状のズームリングを有するズームレンズユニットにおいて、ズームリングの外周に周方向に沿って形成される溝と、ズームリングの目盛の任意の値を指し示す目印を有し、溝に沿って嵌め込まれる環状を呈し、この環状の周方向に複数に分割可能である目印部材と、を有し、目印部材は、使用者の選択により、以下の（１）および（２）の双方の回動が可能であることを特徴とする。
（１）ズームリングの回動に伴った回動
（２）ズームリングの回動に伴わない回動
【０００７】
ここで、目印部材とズームリングとの間には付勢部材が介在し、付勢部材が目印部材とズームリングの双方を付勢し、その付勢力が、目印部材とズームリングとの相対位置を固定することで、（１）の回動を可能としていても良い。
【０００８】
上記目的を達成するため、本発明の目印部材は、使用者による回動の操作を受けて回動の量に応じて変化するズームレンズユニットの焦点距離を示す目盛を備えた環状のズームリングの外周に周方向に沿って形成された溝に嵌め込まれ、目盛の任意の値を指し示す目印を有する目印部材であって、目印部材は、使用者の選択により、以下の（１）および（２）の双方の回動が可能であることを特徴とする。
（１）ズームリングの回動に伴った回動
（２）ズームリングの回動に伴わない回動
【０００９】
ここで、目印部材には、ズームリングを付勢する付勢部材が備えられ、その付勢力が、目印部材とズームリングとの相対位置を固定することで、（１）の回動を可能としていることとしても良い。
【００１０】
上記目的を達成するため、本発明のズームレンズユニットは、使用者による回動の操作を受けて回動の量に応じて変化する焦点距離を示す目盛を備えたズームリングを有し、目盛の任意の値を指し示す目印部材を有し、目印部材は、使用者の選択により、以下の（１）および（２）の双方の回動が可能である。
（１）ズームリングの回動に伴った回動
（２）ズームリングの回動に伴わない回動
【００１１】
ここで、目印部材とズームリングとの間には付勢部材が介在し、付勢部材が目印部材とズームリングの双方を付勢し、その付勢力が、目印部材とズームリングとの相対位置を固定することで、（１）の回動を可能としても良い。
【００１２】
上記目的を達成するため、本発明の目印部材は、使用者による回動の操作を受けて回動の量に応じて変化するズームレンズユニットの焦点距離を示す目盛を備えたズームリングに取り付けて、目盛の任意の値を指し示し、目印部材は、使用者の選択により、以下の（１）および（２）の双方の回動が可能である。
（１）ズームリングの回動に伴った回動
（２）ズームリングの回動に伴わない回動
【００１３】
ここで、目印部材には、ズームリングを付勢する付勢部材が備えられ、その付勢力が、目印部材とズームリングとの相対位置を固定することで、（１）の回動を可能としても良い。
【発明の効果】
【００１４】
本発明では、一度合わせた焦点距離の再現を容易とするズームレンズユニットおよび目印部材を提供することができる。
【図面の簡単な説明】
【００１５】
【図１】本発明の実施の形態に係るズームレンズユニットの正面図である。
【図２】図１の平面および背面および右側面側から見た、本発明の実施の形態に係るズームレンズユニットにおける目印部材を分解した分解斜視図である。
【図３】図１のＡ−Ａ断面概要図であり、ズームリング、目印部材およびコイルばねだけを示す図である。
【図４】図１のＢ−Ｂ断面概要図であり、一組のズームリングおよび目印部材だけを示す図である。
【図５】図１に示す領域Ｃの概要図である。
【図６】本発明の実施の形態に係るズームレンズユニットの変形例を示す図であり、ズームレンズユニットの図４に相当する部分を示す図である。
【発明を実施するための形態】
【００１６】
（本発明の実施の形態に係るズームレンズユニットと目印部材の構成および動作）
以下、本発明の実施の形態に係るズームレンズユニットと目印部材について、図面を参照しながら説明する。図１は、本発明の実施の形態に係るズームレンズユニットの正面図である。図２は、図１の平面および背面および右側面側から見た、本発明の実施の形態に係るズームレンズユニットにおける目印部材を分解した分解斜視図である。
【００１７】
ズームレンズユニット１は、使用者による回動（図２に示す矢印Ｒ方向であり、ズームレンズユニット１の周方向の回動）の操作を受けて回動の量に応じて変化する焦点距離を示す目盛Ｓを備えた環状のズームリング２を有している。そしてズームレンズユニット１は、目盛Ｓの任意の値を指し示す環状の目印部材３を有している。
【００１８】
そして、図２に示す、目印部材３を分解した状態の一方の分解目印部材３Ａの端部３Ａ１,３Ａ２は、もう一方の分解目印部材３Ｂの端部３Ｂ１，３Ｂ２と、それぞれネジ３Ｄによって固定される。詳述すると、分解目印部材３Ａの端部３Ａ１は、分解目印部材３Ｂの端部３Ｂ１と固定され、分解目印部材３Ａの端部３Ａ２は、分解目印部材３Ｂの端部３Ｂ２と固定される。その結果、図１および図３に示す環状の目印部材３となる。なお、図２に示す目盛Ｓの文字の向きは、図１に示す目盛Ｓの文字の向きとは反対になっている。これは、図２がズームレンズユニット１を背面側から見た図であり、図１のズームレンズユニット１の正面側から見た目盛Ｓが見えない角度から見た図だからである。同様に図１からは図２に示した目盛Ｓの部分が見えない。図１および図２に示す目盛Ｓは、いずれも同一のズームリング２に備えられたものなので、同一の符号であるＳを付している。
【００１９】
図３は、図１のＡ−Ａ断面概要図であり、ズームリング２、目印部材３および後述するコイルばね４だけを示す図である。図４は、図１のＢ−Ｂ断面概要図であり、一組のズームリング２および目印部材３だけを示す図である。
【００２０】
目印部材３は、ズームリング２に形成され、図１におけるズームレンズユニット１の周方向に設けられている溝２Ａに嵌入されている。なお、図４に示すズームリング２の断面形状のみでは溝２Ａを「溝」と表現するのは適切ではないとも言える。しかし、図４に示すズームリング２と隣接して配置される部材Ｙの断面高さ寸法がズームリング２の断面高さ寸法（最大値）と同等である。そのため、そのズームリング２の断面高さ寸法（最大値）よりも断面高さ寸法が小さい部分（溝２Ａ）を、部材Ｙの壁面Ｙ１と一緒に見て「溝」と表現している。
【００２１】
目印部材３とズームリング２との間には、付勢部材であるコイルばね４が図３における上下２箇所に介在している。コイルばね４の一端４Ａは、目印部材３の側に固定するように取り付けられている。コイルばね４の一端４Ａとは反対側の他端４Ｂは、溝２Ａと当接しつつ摺動可能な、図示を省略する球状部材が取り付けられている。ここで、コイルばね４は、図２に示す分解目印部材３Ａ，３Ｂのそれぞれの長さ方向の中央に１つずつ固定されている。
【００２２】
そして、コイルばね４が目印部材３と溝２Ａとの間で圧縮され、目印部材３とズームリング２の双方を付勢している。そのコイルばね４の付勢力によって、目印部材３とズームリング２との相対位置を固定している。なお、図３および図４において溝２Ａと目印部材３との間に隙間Ｘがあるのは、溝２Ａと目印部材３との間にコイルばね４および図示を省略した球状部材が介在している分の隙間Ｘが生じるためである。
【００２３】
目印部材３とズームリング２との相対位置が固定された状態では、ズームリング２を矢印Ｒに沿って回動させると、ズームリング２の回動に伴って目印部材３も一緒に回動する。また、ズームリング２を矢印Ｒに沿って回動させないように固定しつつ、目印部材３を矢印Ｒに沿ってズームリング２から独立して回動させることもできる。目印部材３が矢印Ｒに沿ってズームリング２から独立して回動する際には、上述の球状部材がズームリング２と摺動している。
【００２４】
すなわち、この目印部材３は、ズームレンズユニット１の使用者の選択により、（１）ズームリング２の回動に伴った回動と、（２）ズームリング２の回動に伴わない回動の双方が可能である。そして、コイルばね４の付勢力が（１）の回動を可能としている。
【００２５】
図５は、図１に示す領域Ｃの概要図である。使用者により、矢印Ｒ方向に沿ったズームリング２の回動の操作を受けると、回動の量に応じて変化する焦点距離が変化する。図５（Ａ）は、使用者が気に入った焦点距離が決まった状態を示している。その状態では、指標線５（ズームリング２の回動によっても位置が変わらず固定されている線）が目盛Ｓにおける１０と１１の間を指し示している。使用者は、その状態のズームリング２が回動しないように固定しながら、目印部材３の目印３Ｃの位置を指標線５の位置に合わせるように目印部材３のみを矢印Ｒ方向に沿って回動させる（図５（Ｂ））。その後は、コイルばね４の付勢力によって、目印部材３とズームリング２との相対位置を固定した状態を保つ。すると、その後ズームリング２を使用者が気に入った焦点距離とは別の焦点距離に合わせるように回動しても、もう一度図５（Ｂ）に示すように目印３Ｃの位置を指標線５の位置に合わせることで、使用者の好みの焦点距離を容易に再現することができる。
【００２６】
（本発明の実施の形態によって得られる主な効果）
上述のように、本発明の実施の形態に係るズームレンズユニット１は、一度合わせた焦点距離の再現が容易である。同様に、本発明の実施の形態に係る目印部材３も、ズームレンズユニット１の使用の際に、一度合わせた焦点距離の再現を容易にする。
【００２７】
また、コイルばね４の他端４Ｂには、溝２Ａと当接しつつ摺動可能な、図示を省略する球状部材が取り付けられている。その球状部材を用いているため、他端４Ｂと溝２Ａの摺動が非常に滑らかに行われ、使用者の操作性が良好である。
【００２８】
また、目印部材３は、ズームリング２が有する、ズームレンズユニット１の周方向に形成されている溝２Ａに嵌り込んでいる。そのため、コイルばね４の他端４Ｂと溝２Ａとが当接しつつ摺動した場合に、溝２Ａが目印部材３のガイドとなって、位置ずれ等が生じにくい。
【００２９】
（他の形態）
上述した本発明の実施の形態に係るズームレンズユニット１および目印部材３は、本発明の好適な形態の一例ではあるが、これに限定されるものではなく本発明の要旨を変更しない範囲において種々の変形実施が可能である。
【００３０】
たとえば、コイルばね４の他端４Ｂには、溝２Ａと当接しつつ摺動可能な、図示を省略する球状部材が取り付けられている。しかし、その球状部材は必須の構成部材ではないため、省略することができる。また、その球状部材に代えて板状部材等をコイルばね４の他端４Ｂに固定し、その板状部材の板面等で溝２Ａと当接しつつ摺動するようにしても良い。
【００３１】
さらには、付勢部材であるコイルばね４も必須の構成部材ではないため、省略することができる。また、コイルばね４等の付勢部材は、コイルばね４の一端４Ａ側がズームリング２に固定するように取り付けられており、コイルばね４の他端４Ｂ側が目印部材３と当接しつつ摺動するようにしても良い。また、付勢部材はコイルばね４に限定されず、板ばね等とすることができる。
【００３２】
また、ズームレンズユニット１は、指標線５を有している。しかし、指標線５は、ズームレンズユニット１の必須の構成要素ではないため、設けないこととしてもよい。目印部材３の目印３Ｃの位置は、指標線５ではなく、ズームレンズユニット１の他の構成部材の部分に位置を合わせる等することで、一度合わせた焦点距離の再現は可能である。
【００３３】
また、目印部材３は、分解目印部材３Ａと分解目印部材３Ｂとに分解できる構成である。しかし、このような構成は採用せず、分解目印部材を３つ以上で構成してそれらを組み立てて目印部材３としたり、円環状の１つの部材等で目印部材３を構成してもよい。また、コイルばね４は、分解目印部材３Ａ，３Ｂのそれぞれの長さ方向の中央に１つずつ固定されている。しかし、コイルばね４を固定する数、配置位置等は適宜設定できる。
【００３４】
また、図３および図４に示すように、コイルばね４は、図１におけるズームレンズユニット１の径方向にズームリング２と目印部材３を付勢している。しかし、コイルばね４等の付勢部材は、その方向以外の方向でズームリング２と目印部材３を付勢しても良い。
【００３５】
たとえば、図６は、本発明の実施の形態に係るズームレンズユニット１の変形例を示す図であり、ズームレンズユニット１の図４に相当する部分を示す図である。ここで、本発明の実施の形態に係るズームレンズユニット１の変形例に係るズームレンズユニット１１は、その長さ方向（図１における縦方向）にズームリング２と目印部材３を付勢している。
【００３６】
図６では、ズームレンズユニット１１について、ズームレンズユニット１におけるものと同様の構成部材等にはズームレンズユニット１における符号を付している。そして、ズームレンズユニット１とズームレンズユニット１１とで共通する構成部材等については説明を省略する。
【００３７】
図６において、コイルばね４は、ズームレンズユニット１１の長さ方向（図１における縦方向または上下方向）にズームリング２と目印部材３の間に介在し、それらを付勢している。そのため、溝２Ａと目印部材３との間に隙間Ｘは無く、隙間Ｘは、ズームレンズユニット１１の長さ方向におけるズームリング２と目印部材３の間にある。
【００３８】
このズームレンズユニット１１における目印部材３も、ズームレンズユニット１と同様に、その使用者の選択により、（１）ズームリング２の回動に伴った回動と、（２）ズームリング２の回動に伴わない回動の双方が可能である。そして、コイルばね４の付勢力が（１）の回動を可能としていることもズームレンズユニット１の場合と同様である。
【００３９】
また、目印部材３は、ズームリング２が有する、ズームレンズユニット１の周方向に形成されている溝２Ａに嵌り込んでいる。しかしながら、この溝２Ａは、ズームレンズユニット１の必須の構成要素ではないため、設けないこととしてもよい。そして本発明の実施の形態では、ズームリング２と部材Ｙとを合わせて溝２Ａが構成されることとしているが、ズームリング２単体で溝２Ａと同等の溝を設けるようにしても良い。さらに、ズームレンズユニット１１の溝２Ａについても、ズームリング２単体で溝２Ａと同等の溝を設けるようにしても良い。
【符号の説明】
【００４０】
１，１１  ズームレンズユニット
２  ズームリング
３  目印部材
４  コイルばね（付勢部材）
Ｓ  目盛